(57)【要約】【課題】使いやすく、かつ箸置きが不要となる箸を提供する。【解決手段】箸１０は、物を掴む先端部１２、及び先端部１２よりも使用者の手前側に位置する基端部１３を備える。先端部１２は、先端側へ向かうにつれて径が小さくなる柱状からなる。基端部１３は、基端側へ向かうにつれて径が小さくなる柱状からなる。箸１０が設置面Ｆに置かれた状態で、先端部１２が設置面Ｆから離れた状態に保たれるように、基端部１３には箸１０の重心Ｐｇが位置する。【選択図】図１
0003235462.tif 000002
【実用新案登録請求の範囲】
【請求項１】
物を掴む先端部、及び前記先端部よりも使用者の手前側に位置する基端部を備える箸であって、
前記先端部は、先端側へ向かうにつれて径が小さくなる柱状からなり、
前記基端部は、基端側へ向かうにつれて径が小さくなる柱状からなり、
前記箸が設置面に置かれた状態で、前記先端部が前記設置面から離れた状態に保たれるように、前記基端部には前記箸の重心が位置する、
箸。
【請求項２】
前記基端部の横断面は八角形をなす、
請求項１に記載の箸。
【請求項３】
前記箸の中心軸に対する前記先端部の側面の傾斜角度は、前記中心軸に対する前記基端部の側面の傾斜角度よりも大きく形成され、
前記基端部が前記設置面に面接触するように前記箸が前記設置面に置かれた状態で、前記箸の前記中心軸は先端側へ向かうにつれて前記設置面から遠ざかるように前記設置面に対して傾斜する、
請求項１又は２に記載の箸。
【考案の詳細な説明】
【技術分野】
【０００１】
本考案は、箸に関する。
【背景技術】
【０００２】
例えば、特許文献１に記載の箸は、この箸の中程から末端方向へ両面を斜面形状にし、その末端寄りに錘を嵌着し、錘により先端部を設置面から遊離させて、箸置きを必要としないようにしたものである。
【先行技術文献】
【特許文献】
【０００３】
【特許文献１】実開昭６３−１４４０７３号公報
【考案の概要】
【考案が解決しようとする課題】
【０００４】
上記特許文献１に記載の箸では、錘の重さにより箸が使いづらくなるおそれや、箸の形状で食品を掴みづらくなるおそれがある。
【０００５】
本考案は、上記実状に鑑みてなされたものであり、使いやすく、かつ箸置きが不要となる箸を提供することを目的とする。
【課題を解決するための手段】
【０００６】
上記目的を達成するため、本考案に係る箸は、物を掴む先端部、及び前記先端部よりも使用者の手前側に位置する基端部を備える箸であって、前記先端部は、先端側へ向かうにつれて径が小さくなる柱状からなり、前記基端部は、基端側へ向かうにつれて径が小さくなる柱状からなり、前記箸が設置面に置かれた状態で、前記先端部が前記設置面から離れた状態に保たれるように、前記基端部には前記箸の重心が位置する。
【考案の効果】
【０００７】
本考案によれば、箸において、使いやすく、かつ箸置きが不要となる。
【図面の簡単な説明】
【０００８】
【図１】本考案の一実施形態に係る箸の側面図である。
【図２】図１のＡ−Ａ線断面図である。
【図３】本考案の変形例に係る箸の側面図である。
【考案を実施するための形態】
【０００９】
本考案の一実施形態に係る箸について図面を参照して説明する。
図１及び図２に示すように、一組の箸１０は、それぞれ長手方向に延びる棒状に形成される。一組の箸１０は、本例では、本例では、シンジオタクチックポリスチレン樹脂（ＳＰＳ）で形成されているが、これに限らずＳＰＳ以外の樹脂、又は木、竹材で形成されてもよい。
【００１０】
詳しくは、図１に示すように、箸１０は、食品を掴む先端部１２と、先端部１２よりも箸１０を持つ使用者の手前側に位置する基端部１３と、先端部１２及び基端部１３の間に位置する中央部１１と、を備える。先端部１２、中央部１１及び基端部１３は、箸１０の長手方向に沿って並べられ、先端部１２、中央部１１及び基端部１３の各側面は互いに滑らかに連続している。
【００１１】
先端部１２は、先端側へ向かうにつれて径が小さくなるように先細りした柱状からなる。先端部１２の側面は先端側へ向かうにつれて箸１０の中心軸Ｃに近づくように傾斜している。この傾斜面は、平面状に形成されてもよいし、膨らむように湾曲した曲面状に形成されてもよい。
【００１２】
図１及び図２に示すように、先端部１２の横断面は箸１０の中心軸Ｃを中心とした八角形をなす。先端部１２の最先端部１２ａの横断面は、八角形の各辺に溝が形成されることにより星形をなす。最先端部１２ａは、食物が触れる部位であるため、断面星形で形成されることにより、食物を掴みやすくなる。
図１に示すように、先端部１２は、箸１０が設置面Ｆに置かれたときに設置面Ｆから隙間Ｓ１だけ離れる。隙間Ｓ１は、先端部１２と設置面Ｆの間の隙間のうち最大となる最大隙間である。
【００１３】
図１に示すように、基端部１３は、基端側へ向かうにつれて径が小さくなるように先細りした柱状からなる。基端部１３の側面は基端側へ向かうにつれて箸１０の中心軸Ｃに近づくように傾斜している。この傾斜面は、平面状に形成されてもよいし、膨らむように湾曲した曲面状に形成されてもよい。
【００１４】
図２に示すように、基端部１３の横断面は箸１０の中心軸Ｃを中心とした八角形をなす。基端部１３の基端面１３ｚ（図１参照）の面積は、先端部１２の先端面１２ｚ（図１参照）の面積よりも大きい。本例では、箸１０の中心軸Ｃに沿う長手方向から見て、基端部１３の基端面１３ｚは先端部１２の先端面１２ｚを包含している。
【００１５】
図１に示すように、箸１０の中心軸Ｃに対する先端部１２の側面の傾斜角度αは、箸１０の中心軸Ｃに対する基端部１３の側面の傾斜角度βよりも大きく形成されている。
箸１０の重心Ｐｇは基端部１３に位置する。詳しくは、重心Ｐｇは基端部１３の中央部１１寄りに位置する。これにより、箸１０が設置面Ｆに置かれたときに基端部１３は設置面Ｆに面接触する。箸１０が設置面Ｆに置かれた状態において、箸１０の中心軸Ｃは、先端側へ向かうにつれて設置面Ｆから遠ざかるように設置面Ｆに対して傾斜している。また、箸１０の長手方向において、基端部１３の長さは、先端部１２の長さと同等に形成されている。
【００１６】
図１に示すように、中央部１１は、使用者により把持される部位である。中央部１１は、箸１０において径が最大となる。図２に示すように、中央部１１の横断面は箸１０の中心軸Ｃを中心とした八角形をなす。
【００１７】
次に、箸１０の作用について説明する。
図１に示すように、箸１０が設置面Ｆに置かれると、基端部１３に重心Ｐｇが位置するため、基端部１３の下側の側面が設置面Ｆに面接触し、かつ、先端部１２が設置面Ｆから離れた状態となる。よって、箸置きがなくても、先端部１２を設置面Ｆに接触させずに済み、衛生的である。
比較例として、箸の中央部及び基端部の横断面が例えば五角形、六角形、十角形等である場合には、１組の箸が並べられると、各中央部及び基端部の角部同士が接触することになり、不安定な状態となる。よって、この１組の箸を持ち上げる際に、箸が設置面上で転がりやすく、先端部が設置面に接触しやすい。
この点、図２に示すように、本実施形態では、中央部１１及び基端部１３の横断面が八角形（例えば正八角形）であるため、１組の箸１０が並べられると、１組の箸１０それぞれの中央部１１又は基端部１３の側面同士が面接触して安定した状態となる。従って、１組の箸１０を持ち上げる際に、箸１０が設置面Ｆ上で転がりづらく、先端部１２が設置面Ｆに接触することが抑制される。
【００１８】
（効果）
以上、説明した一実施形態によれば、以下の効果を奏する。
（１）箸１０は、物を掴む先端部１２、及び先端部１２よりも使用者の手前側に位置する基端部１３を備える。先端部１２は、先端側へ向かうにつれて径が小さくなる柱状からなる。基端部１３は、基端側へ向かうにつれて径が小さくなる柱状からなる。箸１０が設置面Ｆに置かれた状態で、先端部１２が設置面Ｆから離れた状態に保たれるように、基端部１３には箸１０の重心Ｐｇが位置する。
この構成によれば、錘を用いなくても、箸１０を置くだけで先端部１２を設置面Ｆから離すことができ、箸置きが不要となる。また、錘が不要となるため、箸１０が使いやすくなる。また、特許文献１に記載の箸と比べても、形状的に食品を掴みやすい箸１０を実現している。
【００１９】
（２）基端部１３の横断面は八角形をなす。
この構成によれば、１組の箸１０が設置面Ｆに並べられると、１組の箸１０それぞれの基端部１３の側面同士が面接触し安定した状態となる。このため、この１組の箸１０を持ち上げる際に、先端部１２が設置面Ｆに接触することが抑制される。
【００２０】
（３）箸１０の中心軸Ｃに対する先端部１２の側面の傾斜角度αは、箸１０の中心軸Ｃに対する基端部１３の側面の傾斜角度βよりも大きく形成される。また、基端部１３が設置面Ｆに面接触するように箸１０が設置面Ｆに置かれた状態で、箸１０の中心軸Ｃは箸１０の先端側へ向かうにつれて設置面Ｆから遠ざかるように設置面Ｆに対して傾斜する。
この構成によれば、先端部１２を設置面Ｆから確実に離すことができる。
【００２１】
なお、本考案は以上の実施形態及び図面によって限定されるものではない。本考案の要旨を変更しない範囲で、適宜、変更（構成要素の削除も含む）を加えることが可能である。以下に、変形の一例を説明する。
【００２２】
（変形例）
上記実施形態においては、最先端部１２ａは断面星形で形成されていたが、断面星形でなく、中央部１１と同じ断面形状で形成されてもよい。また、最先端部１２ａにシボを形成してもよいし、抗菌剤を含有させてもよい。
上記実施形態においては、箸１０の横断面は八角形、例えば、正八角形で形成されていたが、これに限らず、八角形以外の多角形で形成されてもよいし、楕円を含む円形で形成されてもよい。
【００２３】
また、上記実施形態においては、先端部１２の側面の傾斜角度αは、基端部１３の側面の傾斜角度βよりも大きく形成されていたが、これに限らず、基端部１３の側面の傾斜角度β以下で形成されてもよい。
また、上記実施形態においては、基端部１３の長さは、先端部１２の長さと同等に形成されていたが、これに限らず、先端部１２の長さよりも長く、又は短く形成されていてもよい。
【００２４】
上記実施形態においては、箸１０の側面は箸１０の長手方向に沿って滑らかに連続していたが、これに限らず、図３に示すように、中央部１１と先端部１２の間に段差部１５が形成されてもよい。段差部１５が形成されることにより、先端部１２の径を小さくすることができ、隙間Ｓ１を大きくすることができる。
【符号の説明】
【００２５】
１０  箸
１１  中央部
１２  先端部
１２ａ  最先端部
１２ｚ  先端面
１３  基端部
１３ｚ  基端面
１５  段差部
α，β  傾斜角度
Ｃ  中心軸
Ｆ  設置面
Ｓ１  隙間
Ｐｇ  重心
【図１】
0003235462.tif 000003
【図２】
0003235462.tif 000004
【図３】
0003235462.tif 000005